(57)【特許請求の範囲】
【請求項１】
各々が支点部と動点部とを有し所定の間隔で露光用開口部の周りに配置されており該支点部で往復回動することにより露光用開口部の開閉作動を行う３枚以上のシャッタ羽根と、連動部を有していると共に前記各動点部と回転可能に連結していて露光用開口部を囲むように環状又は円弧状に形成されており光軸を横切る方向へ往復作動することによって各シャッタ羽根に開閉作動を行わせる薄板状のリンク部材と、所定の角度範囲で往復作動するムービングマグネット型モータと、前記モータによって往復作動を行い且つ前記リンク部材の連動部の端面に光軸を横切る方向から接していて一方向への作動時において該端面を押し各シャッタ羽根に閉じ作動を行わせる作動ピンと、前記作動ピンの他方向への作動時において前記端面が前記作動ピンに接触した状態で作動するように前記リンク部材を付勢しておりそれによって各シャッタ羽根に開き作動を行わせるばねと、各シャッタ羽根が閉じ作動の最終段階において夫々当接する複数のストッパとを備えていて、前記各シャッタ羽根は、夫々の支点部に形成された孔を夫々の枢着軸に回転可能に嵌合させていて、少なくとも１枚のシャッタ羽根は、異なるシャッタ羽根の枢着軸を前記ストッパにしており、前記作動ピンの前記一方向への作動は各シャッタ羽根が夫々のストッパに当接することによって停止され、前記モータへの通電を断った後も各シャッタ羽根がその当接状態を維持されているようにしたことを特徴とするカメラ用シャッタ。
【請求項２】
シャッタ羽根の開き作動位置を検出するための光電センサが設けられていて、前記シャッタ羽根の１枚は、該光電センサによって位置検出される部位が前記ストッパに当接するようにしたことを特徴とする請求項１に記載のカメラ用シャッタ。
【発明の詳細な説明】
【０００１】
【発明の属する技術分野】
本発明は、複数のシャッタ羽根が、円形をした露光用の開口部を、その往復作動によって開閉するようにしたカメラ用シャッタに関する。
【０００２】
【従来の技術】
この種のシャッタは、一般にレンズシャッタと言われているものであって、露光作動に際して、複数のシャッタ羽根が、露光用の開口部を、光軸中心から開いて行き、その後、光軸中心に向けて閉じて行くようにしたものである。そして、その作動中は、複数のシャッタ羽根によって、常に円形に近い開口形状を保てるようにするのが理想とされている。そのため、古くは、３枚以上のシャッタ羽根を露光用の開口部の周辺位置に等間隔に配置し、それらを、光軸を中心にして往復回転する駆動リングによって作動させていた。
【０００３】
しかしながら、そのようなシャッタは、駆動リングが、シャッタ地板面に対して全周にわたって形成されている溝の中に配置されていたため、加工コストが高くなり、また、平面摩擦抵抗はともかくとして、極めて大きな周面摩擦抵抗が生じ、高速化には自ずと限界があった。そのため、最近においては、上記した開口形状を満足させ、且つ小型化，高速化にも対応できるものとして、薄い板材で製作したリンク部材と称する作動部材に３枚以上のシャッタ羽根を連結させ、そのリンク部材を、光軸を横切る方向に往復作動させ、シャッタ羽根に開閉作動を行わせるようにした構成のシャッタが注目されるようになってきた。
【０００４】
他方、シャッタ羽根の駆動源としては、古くからコイルばねが使用されているが、最近では、撮影ごとにシャッタの駆動機構をセットしなくて済むという観点から、駆動源にモータを使用するものが増えてきた。そして、モータの種類としては、当初はステッピングモータの使用が注目されていたが、ステッピングモータは、小型化しにくく、高価であるという問題点があるため、現在では、コイルへの通電方向によって永久磁石（通常、２極）の回転子を所定の角度範囲内で往復作動させるようにした低コストであって小型化し易いムービングマグネット型モータと称されていてるモータの使用が注目されるようになっている。
【０００５】
このような状況から、これまでにも、３枚以上のシャッタ羽根を連結したリンク部材を、ムービングマグネット型モータの作動に連動して、光軸を横切る方向に往復作動させるようにしたカメラ用シャッタが提案されている。しかし、ムービングマグネット型モータは、上記したような利点がある反面、起動性はステッピングモータより劣り、通電を開始してから所定の駆動力が得られるまでに要する時間が長く、且つ駆動力が負荷の僅かなバラツキによって左右され易いという問題点を有している。また、その駆動力は電圧の変化によっても左右され易い。そのため、本出願人は、それらの問題点を解決するための構成を、特開平１０−９６９７４号公報で提案している。
【０００６】
この公報に記載された発明（以下、従来例という）によれば、リンク部材は、その開き作動方向（シャッタ羽根に開き作動を行わせるために作動する方向）の端面が、モータの回転子と一体化されている作動部材のピン（作動ピン）に接触し、ばねによって開き作動方向へ付勢されているため、作動ピンが開き作動方向に作動を開始すると、ばねの力がリンク部材の端面を介して作動ピンに加わり、作動ピンはピン・スロット結合によるモータの駆動力だけによって作動される場合よりも早く作動されることになる。そして、このばねの力は、モータの作動開始の初期段階で効果的に作用し、モータの起動性の悪さを補うようになっている。そして、シャッタ羽根の閉じ作動は、作動ピンが上記のばねの力に抗してリンク部材の端面を押すことによって行われる。
【０００７】
【発明が解決しようとする課題】
ところが、上記の従来例によれば、シャッタ羽根の閉じ作動は、リンク部材が、シャッタ地板に設けられたストッパに当接し、停止されたとき終了する。そして、このリンク部材の停止状態は、次の撮影まで、モータの回転子の磁力によって維持されるようになっている。しかし、リンク部材の停止状態は維持されても、シャッタ羽根の停止状態は維持されることがない。即ち、各シャッタ羽根は、支点部をシャッタ地板に立設された軸に回転可能に取り付けられ、動点部をリンク部材に回転可能に取り付けられているため、それらの取付部における公差分だけ自由に動けるようになっているからである。そのため、次の撮影開始時における各シャッタ羽根の姿勢がまちまちとなり、開き作動が安定せず、所謂切りむらが生じてしまうという問題点があった。
【０００８】
本発明は、このような問題点を解決するためになされたものであり、その目的とするところは、ムービングマグネット型モータによって往復作動する作動ピンに連動して、環状又は円弧状をしたリンク部材が、光軸を横切る方向へ往復作動することによって、３枚以上のシャッタ羽根に開閉作動を行わせるようにしたシャッタにおいて、非撮影時においてはシャッタ羽根を常に所定の姿勢に維持し、撮影開始時におけるシャッタ羽根の開き作動を安定させるようにしたカメラ用シャッタを提供することである。
【０００９】
【課題を解決するための手段】
上記の目的を達成するために、本発明におけるカメラ用シャッタは、各々が支点部と動点部とを有し所定の間隔で露光用開口部の周りに配置されており該支点部で往復回動することにより露光用開口部の開閉作動を行う３枚以上のシャッタ羽根と、連動部を有していると共に前記各動点部と回転可能に連結していて露光用開口部を囲むように環状又は円弧状に形成されており光軸を横切る方向へ往復作動することによって各シャッタ羽根に開閉作動を行わせる薄板状のリンク部材と、所定の角度範囲で往復作動するムービングマグネット型モータと、前記モータによって往復作動を行い且つ前記リンク部材の連動部の端面に光軸を横切る方向から接していて一方向への作動時において該端面を押し各シャッタ羽根に閉じ作動を行わせる作動ピンと、前記作動ピンの他方向への作動時において前記端面が前記作動ピンに接触した状態で作動するように前記リンク部材を付勢しておりそれによって各シャッタ羽根に開き作動を行わせるばねと、各シャッタ羽根が閉じ作動の最終段階において夫々当接する複数のストッパとを備えていて、前記各シャッタ羽根は、夫々の支点部に形成された孔を夫々の枢着軸に回転可能に嵌合させていて、少なくとも１枚のシャッタ羽根は、異なるシャッタ羽根の枢着軸を前記ストッパにしており、前記作動ピンの前記一方向への作動は各シャッタ羽根が夫々のストッパに当接することによって停止され、前記モータへの通電を断った後も各シャッタ羽根がその当接状態を維持されているようにする。
更に、本発明のカメラ用シャッタは、シャッタ羽根の開き作動位置を検出するための光電センサが設けられていて、前記シャッタ羽根の１枚は、該光電センサによって位置検出される部位が前記ストッパに当接するようにされていると好適である。
【００１０】
【発明の実施の形態】
本発明の実施の形態を、図１及び図２に示した実施例によって説明する。尚、図１はシャッタ閉鎖状態を示した平面図であり、図２はシャッタ全開状態を示した平面図である。
【００１１】
先ず、実施例の構成から説明する。シャッタ地板１は合成樹脂製であって、光軸を中心にした円形の開口部１ａを有している。シャッタ地板１の外周縁に沿って、図１の手前側に張り出した壁１ｂが形成されている。また、取り付け構成については図示を省略しているが、シャッタ地板１には、図１の手前側に合成樹脂製の補助地板２が取り付けられている。この補助地板２は、全体形状が明示されていないが、シャッタ地板１と略同じ平面形状をしていて、シャッタ地板１との間に羽根室を形成しており、中央部には開口部１ａと同様な開口部を有しているが、シャッタとしての露光用開口部は、開口部１ａによって規制されている。
【００１２】
羽根室内には、環状をしたリンク部材３と、３枚のシャッタ羽根４，５，６が配置されているが、その配置順序は、紙面から手前側に向けてリンク部材３，シャッタ羽根４，シャッタ羽根５，シャッタ羽根６となっている。そして、組立状態においては、補助地板２に設けられた図示していない部位が、シャッタ羽根６を軽くシャッタ地板１の方へ押すようにしている。また、リンク部材３には、凹部３ａ、係接部３ｂ、三つの張出部３ｃ，３ｄ，３ｅ、三つの長孔３ｆ，３ｇ，３ｈが形成されているが、そのうち凹部３ａの形成されている領域が本発明における連動部である。
【００１３】
また、リンク部材３に形成された張出部３ｃ，３ｄ，３ｅは、夫々、シャッタ地板１に形成されている棚状の受け部１ｃ，１ｄ，１ｅに載置されている。更に、長孔３ｆ，３ｇ，３ｈは、夫々、シャッタ地板１に立設された軸１ｇ，１ｆ，１ｈに緩く嵌合され、それらの軸によってリンク部材３の作動が制限されないようになっている。尚、本実施例においては、作動中において、リンク部材３がシャッタ地板１に対して面接触して摺動するのは受け部１ｃ，１ｄ，１ｅに対してだけであるため、リンク部材３は、極めて摩擦抵抗力が小さく、スムーズに作動させられるようになっているが、本発明は、この構成に限定されるものではなく、必要に応じて最小限の支承面をシャッタ地板１や補助地板２に設けることを妨げるものではない。
【００１４】
更に、シャッタ羽根４，５，６は、夫々、それらの孔を上記の軸１ｆ，１ｇ，１ｈに回転可能に嵌合させ、それらの軸１ｆ，１ｇ，１ｈを支点にして開口部１ａの開閉作動を行い得るようになっている。また、それらのシャッタ羽根４，５，６の先端部には、突起部４ａ，５ａ，６ａが形成されている。更に、各シャッタ羽根４，５，６は、夫々、連結軸７，８，９によってリンク部材３に取り付けられているが、各連結軸７，８，９はリベット部品であって、リンク部材３側から挿入され、各シャッタ羽根４，５，６にかしめられている。そして、リンク部材３と各連結軸７，８，９との間は可動になっており、それらの連結軸７，８，９が各シャッタ羽根４，５，６の動点部となっている。
【００１５】
図１において、シャッタ地板１の背面には、フォトリフレクタ１０が取り付けられている。周知のようにフォトリフレクタ１０には、発光部と受光部が設けられていて、発光部から出射された光は、シャッタ地板１に形成されたスリット１ｉから羽根室内に入り、補助地板２に貼付された図示していない反射シートで反射され、受光部に入射するようになっている。また、シャッタ羽根６の先端部に形成されている突起部６ａは、開き作動の初期段階において、そのフォトリフレクタ１０の光路を遮断できるようになっている。
【００１６】
また、図１において、シャッタ地板１の背面側には、図示していないモータ枠が取り付けられていて、そのモータ枠とシャッタ地板１との間には、ムービングマグネット型モータを配置するためのモータ室が形成されている。そして、そのムービングマグネット型モータの構成は周知であるため、各図面には、本実施例の説明に必要と思われる最小限の部材だけを示している。回転子１１はシャッタ地板１と上記したモータ枠に回転可能に軸支されていて、それと一体に構成されている作動部材１２の作動ピン１２ａは、シャッタ地板１に形成された窓部１ｊを貫通して羽根室内に臨み、図１においては、リンク部材３の凹部３ａの端面に接触している。
【００１７】
回転子１１は、永久磁石（通常２極）で製作されているが、作動部材１２と作動ピン１２ａは、通常の場合、回転子１１の回転軸と共に合成樹脂で製作されていることが多い。しかし、磁性体材料であるネオジウムの粉末体をナイロン系の樹脂材料に混入し、回転子１１，作動部材１２，作動ピン１２ａを、金型で一体成形し、その後、回転子１１を２極の永久磁石体となるように着磁する場合などもある。
【００１８】
また、シャッタ地板１の背面側には、シャッタ地板１に設けられた軸１ｋに、ばね１３が巻回されている。そして、ばね１３の一端は、シャッタ地板１に設けられたばね掛け１ｍに掛けられ、他端は、折り曲げられて窓部１ｎから羽根室内に挿入され、リンク部材３の係接部３ｂに掛けられている。従って、図１においてリンク部材３は、ばね１３によって上方へ作動するように付勢されている。尚、本実施例においては、シャッタ地板１に、シャッタ羽根４，５，６が全開したときに当接する三つのストッパ１ｐ，１ｑ，１ｒが形成されている。
【００１９】
次に、本実施例の作動を説明する。図１はシャッタ閉鎖状態であって、このとき、リンク部材３は、作動ピン１２ａによって、凹部３ａの端面を押されることによって、ばね１３の付勢力に抗して下方へ作動させられており、シャッタ羽根４，５，６の突起部４ａ，５ａ，６ａが軸１ｈ，１ｆ，１ｇに当接することによって、その作動を停止されている状態にある。このとき、ムービングマグネット型モータのコイルには通電されていないが、回転子１１の永久磁石の磁力により、この状態が維持されている。その理由は、周知であるが、簡単に後述する。
【００２０】
この状態においてシャッタがレリーズされると、先ず電源スイッチが閉じ、フォトリフレクタ１０が通電状態になる。それによって、フォトリフレクタ１０の発光部から羽根室内に出射された光は、補助地板２に取り付けられた図示していない反射シートで反射され、フォトリフレクタ１０の受光部に入射する。このような準備状態を経た後、ムービングマグネット型モータのコイルに順方向への通電が行われると、回転子１１の永久磁石による閉鎖状態の維持力が失われ、且つ回転子１１は、所定の角度だけ反時計方向へ回転する。そのため、作動ピン１２ａは、図１において上方へ作動していく。
【００２１】
既に述べたように、ムービングマグネット型モータの場合には、当初、この作動は緩慢且つ不安定なものであるが、本実施例の場合には、ばね１３の付勢力がリンク部材３を上方へ押しているので、リンク部材３は、単に作動ピン１２ａに追従するというよりも、作動ピン１２ａを積極的に押すようにして作動する。そのため、ムービングマグネット型モータを用いていても、リンク部材３の当初の作動は、比較的速く且つ安定したものとなる。そして、このリンク部材３の上方への作動は、シャッタ羽根４，５，６の支点部（軸１ｆ，１ｇ，１ｈの位置）と動点部（連結軸７，８，９の位置）との距離が不変であることから、厳密には円弧を描くようにして行われることになる。
【００２２】
このようにして、リンク部材３が上方へ作動を開始すると、シャッタ羽根４，５，６も、夫々、軸１ｆ，１ｇ，１ｈを中心にして反時計方向へ回転を開始する。そして、ピンホール状態となる前にシャッタ羽根６の突起部６ａがフォトリフレクタ１０の光路を遮断すると、その出力信号によって露光時間制御回路が始動する。その後、シャッタ羽根４，５，６は開口部１ａをピンホール状態とし、光軸を中心にして開口部１ａを開いていくが、全開後に、作動方向の端面を、夫々、ストッパ１ｐ，１ｑ，１ｒに当接させて停止する。しかし、作動部材１２は、その後も僅かに作動を続け、図示していないストッパに当接して停止する。その状態が図２に示されている。尚、作動部材１２のストッパを窓部１ｊの上端縁にし、そこに作動ピン１２ａを当接させるようにしても差し支えない。
【００２３】
その後、所定の時間が経過すると、露光時間制御回路からの出力信号によって、ムービングマグネット型モータのコイルに、上記とは逆方向への通電が行われ、回転子１１が時計方向へ回転される。そのため、作動ピン１２ａは図２において下方へ作動し、リンク部材３の凹部３ａの端面に当接することによって、以後、リンク部材３を、ばね１３の付勢力に抗して下方へ作動させ、シャッタ羽根４，５，６を、夫々、軸１ｆ，１ｇ，１ｈにおいて時計方向へ回転させる。そして、シャッタ羽根４，５，６が開口部１ａを閉鎖した後、それらの突起部４ａ，５ａ，６ａが軸１ｈ，１ｆ，１ｇに当接することによって停止し、図１の状態に復帰する。
【００２４】
このようにして、各部材が図１の状態に復帰した後、ムービングマグネット型モータのコイルへの通電が断たれるが、通電が断たれても回転子１１が永久磁石であるため、周知の構成によってその回転位置を保ち、次の撮影が行われるまで、開口部１ａの閉鎖状態を維持している。即ち、それは、コイルへの非通電状態において、回転子１１の磁力による平衡位置が、図１に示す回転位置よりも更に時計方向へ回転した位置に設定されており、且つ回転子１１による磁力が、ばね１３の付勢力よりも大きいからである。故に、図１の状態においては、コイルに通電していなくても、リンク部材３は、ばね１３の力に抗して、下方へ押されており、シャッタ羽根４，５，６は、その突起部４ａ，５ａ，６ａを、軸１ｈ，１ｆ，１ｇに押し付けられていることになる。
【００２５】
従って、シャッタ羽根４，５，６は、カメラの不使用時における振動によっても、撮影に先立ってカメラをどのように構えても、既に述べたような公差の範囲内でがたつくことがなく、この状態を維持されている。そのため、シャッタ羽根４，５，６は、撮影に際しては、常に、この状態から開き作動を開始することになって、安定した露光制御が可能になる。
【００２６】
尚、上記の実施例においては、シャッタ羽根４，５，６の閉じ作動時におけるストッパを、シャッタ羽根４，５，６を枢着している軸１ｆ，１ｇ，１ｈで兼用させているが、独立したストッパを、シャッタ地板１や補助地板２に別に設けるようにしても差し支えない。また、シャッタ羽根６の突起部６ａが、軸１ｇに対する当接部と、フォトリフレクタ１０による位置検出部の両方を兼ねているが、それらの機能を別の部位で行うようにしても構わないし、フォトリフレクタ１０を備えていないシャッタにおいては、突起部６ａは当接専用の部位となる。更に、本実施例は、シャッタ羽根４，５，６が、一旦全開状態になってから閉じ作動を開始するタイプのカメラ用シャッタとして説明したが、図示していない部材によって、リンク部材３か、シャッタ羽根４，５，６のうちの１枚を、開き作動の途中で停止させるように構成し、絞りを兼用したカメラ用シャッタとしても構わない。
【００２７】
また、本実施例においては、リンク部材３が環状であることを前提にしているが、本発明は、そのような形状に限定されるものではない。例えば、図１においてシャッタ羽根４との連結部と、シャッタ羽根５との連結部を残し、それらの間を欠落させた円弧状としても構わない。その場合には、開口部１ａを約２４０度に亘って囲んだ形状になる。また、シャッタ羽根は４枚以上であっても差し支えない。仮に、４枚にした場合には、リンク部材３は、開口部１ａを約２７０度に亘って囲んだ形状にしてもよいことになる。但し、本発明は、シャッタ羽根を等間隔に配置した場合に限定されるものではない。
【００２８】
更に、本実施例においては、ばね１３が羽根室外においてシャッタ地板１に取り付けられているが、本発明は、特にそのような構成に限定されるものではなく、羽根室内において、シャッタ地板１か補助地板２に取り付けてもよいし、羽根室外において補助地板２に取り付けるようにしても構わない。また、本実施例においては、作動部材１２を回転子１１と一体的に構成しているが、作動部材１２をシャッタ地板１に取り付け、それを回転子１１の回転に連動させて往復作動させるような構成にしても構わない。
【００２９】
【発明の効果】
上記のように、本発明によれば、露光用の開口部を囲むようにして環状又は円弧状に形成されたリンク部材が、ムービングマグネット型モータによって往復作動する作動ピンに連動し、光軸を横切る方向へ往復作動することによって、３枚以上のシャッタ羽根を開閉作動させるようにしたシヤッタにおいて、リンク部材には、その開き作動方向へ付勢するばねを設けて該リンク部材と作動ピンを接触可能にすると共に、シャッタ閉鎖時には、作動ピンがリンク部材を介して、シャッタ羽根をストッパに押し付けているので、撮影に際して、シャッタ羽根が、常に同じ位置から開き作動を開始することができ、安定した露光制御が得られるいう特徴を有している。
【図面の簡単な説明】
【図１】実施例の平面図であって、シャッタ閉鎖状態を示している。
【図２】実施例の平面図であって、シャッタ全開状態を示している。
【符号の説明】
１                          シャッタ地板
１ａ                        開口部
１ｂ                        壁
１ｃ，１ｄ，１ｅ            受け部
１ｆ，１ｇ，１ｈ，１ｋ      軸
１ｉ                        スリット
１ｊ，１ｎ                  窓部
１ｍ                        ばね掛け
１ｐ，１ｑ，１ｒ            ストッパ
２                          補助地板
３                          リンク部材
３ａ                        凹部
３ｂ                        係接部
３ｃ，３ｄ，３ｅ            張出部
３ｆ，３ｇ，３ｈ            長孔
４，５，６                  シャッタ羽根
４ａ，５ａ，６ａ            突起部
７，８，９                  連結軸
１０                        フォトリフレクタ
１１                        回転子
１２                        作動部材
１２ａ                      作動ピン
１３                        ばね
【図１】
0004017742.tif 000002
【図２】
0004017742.tif 000003